(57)【要約】【課題】情報の取り間違いを防止しＩＲ情報検索の時間短縮を可能とするＩＲ情報提供方法及びＩＲ情報提供サーバーを提供する。【解決手段】情報希望者が設定した企業名を取得し、情報希望者と企業名を、少なくとも情報希望者のメール・アドレスと企業名を含む情報希望者データベースに記憶させるステップと、企業名とそのＩＲ情報を取得し、少なくとも企業名とそれぞれのＩＲ情報を含む企業データベースに記憶させるステップと、情報希望者のメール・アドレス毎に情報希望者データベースに記憶された設定された企業名に基づいて、企業データベースから設定された企業名に対応するＩＲ情報を抽出し、情報希望者のメール・アドレス毎に電子メールを作成させるステップと、電子メールを情報希望者データベースに基づいて情報希望者のメール・アドレスに該当する情報希望者に配信させるステップとを含む。【選択図】        図１
2004326517.tif 000002
【特許請求の範囲】
【請求項１】
情報希望者が設定した企業名を取得し、前記情報希望者と前記企業名を、少なくとも情報希望者のメール・アドレスと企業名を含む情報希望者データベースに記憶させるステップと、企業名とそのＩＲ情報を取得し、少なくとも企業名とそれぞれのＩＲ情報を含む企業データベースに記憶させるステップと、前記情報希望者のメール・アドレス毎に前記情報希望者データベースに記憶された前記設定された企業名に基づいて、前記企業データベースから前記設定された企業名に対応するＩＲ情報を抽出し、前記情報希望者のメール・アドレス毎に電子メールを作成させるステップと、前記電子メールを前記情報希望者データベースに基づいて前記情報希望者のメール・アドレスに該当する情報希望者に配信させるステップとを含むことを特徴とするＩＲ情報提供方法。
【請求項２】
情報希望者が設定した企業名を取得し、前記情報希望者と前記企業名を、少なくとも情報希望者のメール・アドレスと企業名を含む情報希望者データベースに記憶させる手段と、企業名とそのＩＲ情報を取得し、少なくとも企業名とそれぞれのＩＲ情報を含む企業データベースに記憶させる手段と、前記情報希望者のメール・アドレス毎に前記情報希望者データベースに記憶された前記設定された企業名に基づいて、前記企業データベースから前記設定された企業名に対応する前記ＩＲ情報を抽出し、前記情報希望者のメール・アドレス毎に電子メールを作成させる電子メール作成手段と、前記電子メールを前記情報希望者データベースに基づいて前記情報希望者のメール・アドレスに該当する情報希望者に配信させる配信手段とを備えたことを特徴とするＩＲ情報提供サーバー。
【発明の詳細な説明】
【０００１】
【発明が属する技術分野】
本発明は、企業等におけるＩＲ情報の企業サイト掲載情報と、ＩＲ専門サイト掲載情報とを併せて、適時情報希望者に提供することができるＩＲ情報提供方法及びＩＲ情報提供サーバーに関する。
【０００２】
【従来の技術】
従来、ＩＲ（情報検索）作業においては、その作業にかかる時間、工程、煩雑度等を考慮して、各企業サイトにＩＲサイトを設けてそこに情報に応じたコンテンツを置いている。情報希望者が所望企業のＩＲ情報を検索する際には、各企業が開催している会社説明会開催日等を基準として、会社説明会の開催日等を知った上でその知識、経験を頼りに、会社説明会等の資料に対応した具体的なＩＲ情報を検索していた。そして、情報希望者は、掲載された企業サイトのＩＲサイトを基に、所望のＩＲ情報にかかるコンテンツの検索を行なう。そのコンテンツの検索は、情報希望者が時間をかけ、掲載日等に気をつけながら行なっているのが現状である。
【０００３】
一方、近年では、ＩＲ専門サイト等を利用して前記ＩＲ情報を掲載することが行なわれている。掲載依頼各企業の企業名、株式コード、業種、及び掲載日等の別に、予め端末内に保管されている前記ＩＲ情報データから掲載内容が一覧で表示され、この中から選択した項目が詳細に表示される。
【０００４】
【発明が解決しようとする課題】
しかしながら、上記従来の方法によった場合には、次のような問題が生ずる。即ち、上記のような情報希望者による所望コンテンツの検索では、情報希望者がその知識、経験を頼りに、会社説明会等の資料に対応した具体的なＩＲ情報を検索しているので、知識、経験の浅い情報希望者の場合には、所望情報を検索するのに時間がかかってしまうのみならず、情報の取り違えをしてしまうこともあった。また、人の行なう作業であるため、知識、経験の豊富な情報希望者であっても、時には同様の間違いを起こすおそれがあった。
【０００５】
殊に、株主や投資家は、通常、議決権行使あるいは投資等を行なう際に大量の企業情報を検索する必要があり、そのため、その処理の際にもやはり、時間がかかる、間違いやすいといった同様な問題が生じていた。
【０００６】
また、ＩＲ専門サイト等を利用してのＩＲ情報の検索においては、株式コード、業種、及び掲載日等の別に掲載内容が一覧で表示されるが、近年の各ＩＲ専門サイトには、ＰＤＦダウンロードやストリーミング配信等のアドイン・ソフトを利用したコンテンツを備えたサイトが多く、各々掲載しているコンテンツも異なる。これにより、検索作業の際には、各サイトによって、コンテンツの有無やサイトマップも異なるため、それに伴い検索手順も、それぞれのサイトで異なることとなり、その相違を考慮した検索手順の知識、経験が必要となる。更に、ＰＤＦダウンロードやストリーミング配信等は、アドイン・ソフトを利用したコンテンツであるため、その都度、使用するアプリケーションについての案内等も考慮に入れた情報案内の提供が課題とされる。
【０００７】
本発明は上記事情に鑑みてなされたものであり、情報希望者に対し、情報の取り間違いを起こすことなく、的確にＩＲ情報の配信を行なうことが可能なＩＲ情報提供方法及びＩＲ情報提供サーバーを提供することを課題とする。
【０００８】
【課題を解決するための手段】
上記課題を達成するために本発明は、次の手段を採用した。即ち、本発明に係るＩＲ情報提供方法は、情報希望者が設定した企業名を取得し、前記情報希望者と前記企業名を、少なくとも情報希望者のメール・アドレスと企業名を含む情報希望者データベースに記憶させるステップと、企業名とそのＩＲ情報を取得し、少なくとも企業名とそれぞれのＩＲ情報を含む企業データベースに記憶させるステップと、前記情報希望者のメール・アドレス毎に前記情報希望者データベースに記憶された前記設定された企業名に基づいて、前記企業データベースから前記設定された企業名に対応するＩＲ情報を抽出し、前記情報希望者のメール・アドレス毎に電子メールを作成させるステップと、前記電子メールを前記情報希望者データベースに基づいて前記情報希望者のメール・アドレスに該当する情報希望者に配信させるステップとを含むことを特徴とするものである。
【０００９】
また、上記課題を解決するための本発明に係るＩＲ情報提供サーバーは、情報希望者が設定した企業名を取得し、前記情報希望者と前記企業名を、少なくとも情報希望者のメール・アドレスと企業名を含む情報希望者データベースに記憶させる手段と、企業名とそのＩＲ情報を取得し、少なくとも企業名とそれぞれのＩＲ情報を含む企業データベースに記憶させる手段と、前記情報希望者のメール・アドレス毎に前記情報希望者データベースに記憶された前記設定された企業名に基づいて、前記企業データベースから前記設定された企業名に対応する前記ＩＲ情報を抽出し、前記情報希望者のメール・アドレス毎に電子メールを作成させる電子メール作成手段と、前記電子メールを前記情報希望者データベースに基づいて前記情報希望者のメール・アドレスに該当する情報希望者に配信させる配信手段とを備えたことを特徴とするものである。
【００１０】
【発明の実施の形態】
以下に、本発明の実施の形態について詳細に説明するが、この実施の形態に記載されている構成は、特に特定的な記載がない限りは、この発明の技術的範囲をそれらのみに限定する趣旨のものではない。
【００１１】
図１〜図３を参照して、本発明に係るＩＲ情報提供方法及びＩＲ情報提供サーバーの実施の形態について説明するに、図１は、ＩＲ情報提供サーバーであるＷＷＷサーバー１（以下、「サーバー１」と称す）が接続されたネットワーク４の構成図である。サーバー１は、各企業に対してＩＲ情報に関する情報受託及び情報管理を行ない、各情報希望者に対してＩＲ情報に関する情報提供を行なうサービスセンター５に設けられ、ＷＷＷ等のネットワーク４を介し、ＩＲ情報等の発信元の企業６、６’に備えられた端末２、２’と、投資家等のＩＲ情報の希望者７、７’が所有する端末３、３’とに接続される。
【００１２】
このサーバー１の制御ブロックを図２に示す。なお、サービスセンター５を設置せずに、各企業にサーバー１を設け、自社のＩＲ情報提供を行なう構成としてもよい。
【００１３】
図２において、８は、サーバー１へ入力した文字、図形やイメージ、又はこれらをサーバー１で処理した結果を表示するためのディスプレイ装置である。ディスプレイ装置８は、人間がサーバー１を使用するためには不可欠な装置である。表示方式によって、ＣＲＴ、液晶ディスプレイ、プラズマ・ディスプレイ等の種類がある。ＣＲＴは比較的自由に解像度を変更することができる。
【００１４】
９は、サーバー１へコマンドやデータを入力する入力装置である。入力装置９としては、キーボード、マウスの他、デジタル・カメラ、スキャナ、タブレット、ゲーム用のジョイスティック、ビデオ入力装置、音声入力装置、バーコード・リーダー等が考えられる。
【００１５】
１０は、サーバー１の処理した結果を外部出力する出力装置である。処理結果は人間が認識できる文字や数字、画像等にして出力する。出力装置１０としてはプリンタが一般的であるが、他にも、プロッタや音声出力装置等数多くの種類がある。
【００１６】
サーバー１の内部構造として、ハードディスク１１、ＣＰＵ１２、メイン・メモリー１３、ＲＯＭ１４がバス１５を介して接続されている。更に、ハードディスク１１には、情報処理毎に必要な情報を記憶した各データベースが構築される。
【００１７】
ハードディスク１１は、情報処理のためのソフトウエアを記憶している。サーバー１のハードディスク１１には、ＯＳやアプリケーション・ソフトがインストールされている。また、ハードディスク１１は、各企業６、６’や情報希望者７、７’に対応する情報をデータベース化した企業データベース１６、及び情報希望者データベース１７を格納している。各データベースについては後に詳述する。
【００１８】
通信制御装置１８は、サーバー１をネットワーク４に接続するための装置である。通信制御装置１８としては、ＤＴＥをネットワーク４に接続するために利用するＤＣＥとしてのモデムや、ＴＡが挙げられる。バス１５は、サーバー１が利用する様々なデバイスの間で信号を送受信するために設けた回路である。
【００１９】
図３は、本発明に係るＩＲ情報提供方法の実行工程を示したフローチャートである。図１及び図２を参照し、図３のフローチャートに沿いながら本実施形態におけるＩＲ情報提供方法の実行工程をより具体的に説明する。なお、本実施形態において、企業の登録するＩＲ情報は、ＰＤＦダウンロードやストリーミング配信のコンテンツであり、自社サイト内ＩＲサイトやＩＲ専門サイトに置かれているコンテンツを実施例とする。
【００２０】
図１において、サービスを利用する企業６、６’の担当者が、端末２、２’よりネットワーク４を介してサーバー１にアクセスする。担当者は自社のＩＲ情報として、企業名、コンテンツのアドレス、コンテンツのタイトル、コンテンツの形式を入力する（Ｓ１０１）。サーバー１は、そのＩＲ情報を基に、図２に示したハードディスク１１のＩＲ情報処理プログラム（図示せず）によって処理することにより、企業データベース１６に、企業の諸サイトに置かれているコンテンツの詳細情報を登録する。即ち、サーバー１は、前記ＩＲ情報処理プログラムによってコンテンツの形式の違いによるＩＲ情報のアクセス方法を自動判断した上で、当該コンテンツの詳細情報を取得する（Ｓ１０２）。
【００２１】
この企業データベース１６には、各企業の各コンテンツが置かれているサイトの情報が網羅され、各アドレスに対応する形でデータベース化される。
【００２２】
そして、登録された詳細情報を考慮に入れ、企業毎のＩＲ情報の必要項目を企業データベース１６から検索して、企業毎ＩＲ情報雛型が作成される（Ｓ１０３）。なお、企業毎ＩＲ情報雛型には、前記詳細情報を反映し、コンテンツ毎の内容もコンテンツ説明として含まれる。その企業毎ＩＲ情報雛型のデータが、電子メール用雛型として生成される（Ｓ１０４）。
【００２３】
更に、前記各企業の電子メール用雛型の中から、情報希望者の選択した企業名に対応して該当企業の雛型を企業データベース１６から検索し、そのデータに基づいて情報希望者毎の電子メールが作成される（Ｓ１０５）。情報希望者データベース１７は、情報希望者に対する個人情報、メール・アドレス、その他の必要な情報をデータベース化している。その情報希望者毎の電子メールを本システムのＩＲ情報提供サービスとして配信するようにした（Ｓ１０６）。
【００２４】
また、郵送書類発送指示の有無を判断して（Ｓ１０７）、郵送書類発送指示がある場合は、ＩＲ情報誌等の郵送書類を発送する（Ｓ１０８）。以上によりＩＲ情報提供方法の実行工程は終了する。
【００２５】
前記送信された電子メールを、必要に応じて端末３、３’の出力装置（場合によってはサーバー１の出力装置１０）により印刷し、書面として表したＩＲ情報メールの構成例を図４に示した。
【００２６】
上述したように、情報希望者は、一度ＩＲ情報希望企業を登録すれば、常に最新のＩＲ情報を受け取ることができる。一方、企業やＩＲ専門サイト運営者は、最新のＩＲ情報がサーバー１に登録されるだけで、情報希望者にそのＩＲ情報をタイミング良く配信することができる。
【００２７】
なお、上述した実施の形態では、各データベースをサーバー１内に構築したが、ＬＡＮ等によって接続されたデータベース・サーバーに構築するようにしてもよい。その他、本発明の要旨を逸脱しない範囲で種々変形実施可能であることは勿論である。
【００２８】
【発明の効果】
本発明は上述したとおりであって、本発明によれば、あるＩＲ情報を希望する情報希望者に、そのＩＲ情報を的確に配信することが可能であって、情報希望者は、誤りなく適時所望のＩＲ情報を入手可能となる効果がある。
【図面の簡単な説明】
【図１】本発明に係るＩＲ情報提供サーバーが接続されたネットワークの構成図である。
【図２】本発明に係るＩＲ情報提供サーバーの制御ブロック図である。
【図３】本発明に係るＩＲ情報提供方法の実行工程を示したフローチャートである。
【図４】本発明に係るＩＲ情報提供方法により作成されたＩＲ情報の構成例を示した概略図である。
【符号の説明】
１      ＷＷＷサーバー
２      端末
２’    端末
３      端末
３’    端末
４      ネットワーク
５      サービスセンター
６      企業
６’    企業
７      情報希望者
７’    情報希望者
８      ディスプレイ装置
９      入力装置
１０    出力装置
１１    ハードディスク
１２    ＣＰＵ
１３    メイン・メモリー
１４    ＲＯＭ
１５    バス
１６    企業データベース
１７    情報希望者データベース
１８    通信制御装置
【図１】
2004326517.tif 000003
【図２】
2004326517.tif 000004
【図３】
2004326517.tif 000005
【図４】
2004326517.tif 000006